(57)【要約】      （修正有）【課題】各ペットボトルに景品を取り付けたペットボトルの取り扱いに際し、景品を付けない場合と略同様に容易に取り扱うことができるペットボトル用の景品収納容器を提供する。【解決手段】ペットボトル１０の首部１３が挿入される貫通穴を備える係合環４５を有し、前記係合環４５は複数の突出部を有し、該突出部の先端を結ぶ接円の直径は前記ペットボトル１０のキャップ１５外径よりも小さな径とされ、前記係合環４５の外縁から円筒状の本体内壁を立設する。さらに、前記本体内壁の外周に円筒状の本体外壁３１を有して前記本体内壁と本体外壁３１との間に空間を備えて収納溝を形成し、前記収納溝の上端は天面部４１で閉じ、前記収納溝の下端は基部の底板部６１で塞ぎ、当該基部は前記係合環４５が備える貫通穴と同様の貫通穴を有し、前記収納溝に景品７１を収納可能とする。【選択図】図５
0003179123.tif 000002
【実用新案登録請求の範囲】
【請求項１】
ペットボトルの首部に着脱可能に取り付けられる収納容器であって、
前記首部が挿入される貫通穴を備える平板環状の係合環を有し、
前記係合環は前記貫通穴側に突出する複数の突出部を有し、該突出部の先端を結ぶ接円の直径は前記ペットボトルのキャップ外径よりも小さな径とされ、
前記係合環の外縁から前記キャップの外径よりも大きな直径を備えた円筒状の本体内壁が立設され、この本体内壁の高さは前記キャップの高さと同一又は僅かに低くされ、
前記本体内壁の外周に円筒状の本体外壁を有して前記本体内壁と本体外壁との間に空間を備えて収納溝を形成し、
前記収納溝の上端は天面部で閉じ、前記収納溝の下端は基部の底板部で塞ぎ、当該基部は前記係合環が備える貫通穴と同様の貫通穴を有し、
当該収納容器の最大外径を前記ペットボトルの胴部外径と同一又は僅かに小さくして前記収納溝に景品を収納可能としたことを特徴とするペットボトル用景品収納容器。
【請求項２】
前記係合環、前記本体内壁、前記本体外壁、前記天面部が本体部を形成し、前記本体外壁の下端から外方に延設される平板環状の補助環を該本体部は有し、前記補助環と前記基部とがヒンジ部により接続されていることを特徴とする請求項１に記載したペットボトル用景品収納容器。
【請求項３】
円筒状の前記本体内壁は、一部に平面状の平面部を有して前記本体外壁との空間幅を広げた収納部を前記ヒンジ部の近辺の前記収納溝の一部に有することを特徴とする請求項２に記載したペットボトル用景品収納容器。
【請求項４】
前記本体内壁及び前記本体外壁は、円筒状の一部を不連続とした環状形状であって、環状に形成される前記収納溝の前記ヒンジ部と対向する位置が不連続とされていることを特徴とする請求項２又は請求項３に記載したペットボトル用景品収納容器。
【請求項５】
前記収納溝の不連続とされた部分には、前記係合環と前記補助環とを接続する平板状の平板部を有し、該平板部には平板部から前記基部側に突出する係止突起を有し、前記基部には前記係止突起が嵌合する係止穴部を有することを特徴とする請求項４に記載したペットボトル用景品収納容器。
【請求項６】
前記基部は、前記係合環と同様の平板環状にして前記貫通穴を備えた下部係合環と、前記補助環と同様の平板環状の下部補助環を有し、下部環状内壁及び下部環状外壁と底板部による補助収納溝を有し、該補助収納溝が前記収納溝と連続する空間を形成していることを特徴とする請求項１乃至請求項５の何れかに記載したペットボトル用景品収納容器。
【考案の詳細な説明】
【技術分野】
【０００１】
本考案は、ペットボトルに取り付ける景品収納容器に関するものである。
【背景技術】
【０００２】
今日、ペットボトルの販売促進のため、景品をペットボトルに取り付けることが行われている。
【０００３】
この様に景品をペットボトルに取り付けるに際しては、所要の小袋に景品を入れて小袋をペットボトルの首に掛けるように留めるものの他、一枚の板状体を折り曲げて箱状とし、箱の底部にボトルの首を挿入可能とする開口を複数設け、箱内にボトルのキャップ部分及び首部を挿入し、箱内のボトルの首部と首部との間の間隙空間に景品を収納する景品収納ボックスが提案されている（例えば特許文献１）。
【０００４】
また、ペットボトルなどのボトルキャップに着脱自在とする被着部を有し、キャップの上に装飾体とスピーカと音声メモリとを取り付けるものも提案されている（例えば特許文献２）。
【先行技術文献】
【特許文献】
【０００５】
【特許文献１】特開２００７―３１４１９５号公報
【特許文献２】実用新案登録第３１０１９２０号公報
【考案の概要】
【考案が解決しようとする課題】
【０００６】
前述の複数本のボトルの首部に固定する景品収納ボックスは、ペットボトルの１本毎の景品の取り扱いが困難であり、ペットボトルに景品を取り付けた後は、複数本のボトルを一体として取り扱うこととなる不便があった。
【０００７】
また、ペットボトルなどのキャップの上方に装飾体などの付属品や景品を付加するものは、景品等を取り付けた状態で多くのボトルを移送保管することは、ボトル全体の高さが高くなり、取り扱いが困難となることが多かった。
【０００８】
本考案に係る景品収納容器は、各ペットボトルに景品を取り付けた状態で、ペットボトルの取り扱いに際し、景品を付属させない場合と略同様に容易に取り扱うことができるペットボトル用の景品収納容器を提供するものである。
【課題を解決するための手段】
【０００９】
本考案は、ペットボトルの首部に着脱可能に取り付けられる景品収納容器であって、前記首部が挿入される貫通穴を備える平板環状の係合環を有し、前記係合環は前記貫通穴側に突出する複数の突出部を有し、該突出部の先端を結ぶ接円の直径は前記ペットボトルのキャップ外径よりも小さな径とされ、前記係合環の外縁から前記キャップの外径よりも大きな直径を備えた円筒状の本体内壁が立設され、この本体内壁の高さは前記キャップの高さと同一又は僅かに低くされ、前記本体内壁の外周に円筒状の本体外壁を有して前記本体内壁と本体外壁との間に空間を備えて収納溝を形成し、前記収納溝の上端は天面部で閉じ、前記収納溝の下端は基部の底板部で塞ぎ、当該基部は前記係合環が備える貫通穴と同様の貫通穴を有し、当該収納容器の最大外径を前記ペットボトルの胴部外径と同一又は僅かに小さくして前記収納溝に景品を収納可能としたペットボトル用景品収納容器である。
【００１０】
また、前記係合環、前記本体内壁、前記本体外壁、前記天面部が本体部を形成し、前記本体外壁の下端から外方に延設される平板環状の補助環を該本体部は有し、前記補助環と前記基部とがヒンジ部により接続されたペットボトル用景品収納容器とすることが好まし。
【００１１】
更に、円筒状の前記本体内壁は、一部に平面状の平面部を有して前記本体外壁との空間幅を広げた収納部を前記ヒンジ部の近辺の前記収納溝の一部に有することもある。
【００１２】
そして、前記本体内壁及び前記本体外壁は、円筒状の一部を不連続とした環状形状であって、環状に形成される前記収納溝の前記ヒンジ部と対向する位置が不連続とされていることもある。
【００１３】
更に、前記収納溝の不連続とされた部分には、前記係合環と前記補助環とを接続する平板状の平板部を有し、該平板部には平板部から前記基部側に突出する係止突起を有し、前記基部には前記係止突起が嵌合する係止穴部を有することが好ましい。
【００１４】
そして、前記基部は、前記係合環と同様の平板環状にして前記貫通穴を備えた下部係合環と、前記補助環と同様の平板環状の下部補助環を有し、下部環状内壁及び下部環状外壁と底板部による補助収納溝を有し、該補助収納溝が前記収納溝と連続する空間を形成することが好ましい。
【考案の効果】
【００１５】
本考案に係るペットボトル用景品収納容器は、貫通穴を有する係合環によりペットボトルの首部に取り付け可能とされ、係合環の外周に立設される本体内壁とその外周の本体外壁との空間を収納溝として本体内壁の高さはキャップの高さと同一等としているため、キャップの外周位置に景品収納部を形成することのできる景品収納容器であり、ペットボトルの肩部上方の空間を利用して景品をペットボトルに取り付けることができ、複数本のペットボトルの保管等に際して景品を付けていないペットボトルと略同様に取り扱うことができ、自動販売機で当該景品収納容器による景品を付けたペットボトルを販売することも可能となる。
【００１６】
また、本体内壁及び本体外壁により形成される収納溝や貫通穴を有する係合環を備える本体部と、収納溝の下端を閉じる底板部や係合環の貫通穴と同様の貫通穴を有する基部とをヒンジ部により接続しておけば、収納溝に景品を収納して基部により収納溝の下方を閉じて景品が収納溝から脱落させないようにして基部及び本体部の貫通穴にペットボトルの首部を通すことが容易に可能となる。
【００１７】
そして、本体内壁の一部に平面部を設けて収納溝の空間幅を一部広くするものは、景品の収納溝への収納を一層容易とすることができる。
【００１８】
また、環状形状の収納溝に不連続部分を形成すれば、例えば不連続部分を後方とするように景品収納容器の正面方向を定めることが容易となる。
【００１９】
そして、収納溝の不連続部分に平板部を形成して係止突起を設ければ、基部を本体部と一体として収納溝や収納部を閉鎖空間とした状態で容易にペットボトルに装着することができる。
【００２０】
また、基部に下部環状内壁や下部環状外壁による補助収納溝を形成すれば、本体部の収納溝と合わせて収納空間を大きくすることができる。
【図面の簡単な説明】
【００２１】
【図１】本考案に係る景品収納容器をペットボトルに取り付けた状態を示す斜視図。
【図２】本考案に係る景品収納容器の斜視図。
【図３】本考案に係る景品収納容器の開いた状態を示す斜視図。
【図４】本考案に係る景品収納容器に景品を収納した状態を示す図。
【図５】本考案に係る景品収納容器に景品を収納してペットボトルに取り付けた状態を示す断面図。
【考案を実施するための形態】
【００２２】
本考案に係るペットボトル用の景品収納容器20は、図１に示すように、ペットボトル10の首部13に固定し、肩部12の上方空間であってキャップ15の高さと同程度の高さとして首部13の周囲空間に配置するものである。
【００２３】
この景品の収納容器20は、図１及び図２に示すように、ボトルの首部13を挿通させる貫通穴25を形成するように、平板状にして環状形状とされる係合環45を有し、係合環45の内縁を波形として複数の突出部46を有するものである。
【００２４】
そして、各突出部46の内側先端を結ぶ円とする先端内接円の直径をキャップ15の外径よりも小さくし、係合環45をペットボトル10のキャップ15下方位置である首部13に固定可能としている。
【００２５】
また、係合環45の外周から上方に円筒形状に立設される本体内壁33を有し、本体内壁33の外側に本体外壁31を有して本体内壁33と本体外壁31の上端を平板環状の天面部41で接続しているものである。
【００２６】
そして、この本体内壁33の高さは、キャップ15の高さと同一又は僅かに低くし、係合環45をペットボトル10のキャップ15下方位置に合わせたとき、収納容器20の上端がキャップ15の頂面よりも上方に突出しないようにしているものである。
【００２７】
尚、本体内壁33、本体外壁31、及び、天面部41は、一部に不連続部を備えた円筒環状のＣ字形状とされ、不連続部において本体内壁33と本体外壁31とを接続して図３に示すように本体内壁33と本体外壁31との間の空間により不連続部を備えた環状の本体収納溝35を形成するものである。
【００２８】
また、本体外壁31の下端外方には平板状にして環状形状とされる補助環43を有し、この補助環43における本体収納溝35の不連続部の対向方向外縁に設けたヒンジ部23を介して補助環43と同一形状の下部補助環63を有する基部27が係合環45や本体内壁33、本体外壁31等を有する本体部21と接続されるものである。
【００２９】
この本体部21は、図３に示したように平板環状の補助環43と平板環状の係合環45とを同一平面に有し、本体外壁31及び本体内壁33を環状形状としつつヒンジ部23の対向位置に不連続部分を形成して補助環43と係合環45を接続する平板状の上部平板部47を有し、この上部平板部47には、図１に示したペットボトル10への装着状態における下方に突出する係止突起49を備えるものである。
【００３０】
また、本体外壁31は、一部に不連続部を備えた環状形状とされるも、本体内壁33は、一部に不連続部を備えると共に不連続部に対向する方向位置に平面部39を有し、本体内壁33と本体外壁31との間に形成された本体収納溝35の空間幅を広くした正面収納部37とする収納部を本体収納溝35の一部に形成しているものである。
【００３１】
そして、この本体部21とヒンジ部23により一体とされた基部27も、補助環43と同一形状とされる平板環状の下部補助環63、及び、係合環45と同一形状とされる平板環状の下部係合環65を有し、下部係合環65はその内側に下部突出部66を有して内側を波形とされて下部補助環63と同一平面上に配置されるものである。
【００３２】
また、基部27も下部係合環65と下部補助環63を接続する下部平板部67を有し、この下部平板部67には係止穴部69を備え、補助環43を下部補助環63に重ねたとき、平板部に形成した係止突起49が係止穴部69に嵌合され、補助環43と下部補助環63とを、係合環45と下部係合環65とを重ねるようにして本体部21と基部27とを一体として固定可能とするものである。
【００３３】
更に、この基部27には、ヒンジ部23を介した本体部21の補助環43を下部補助環63に重ねたとき、本体外壁31と同一直径にして同一個所に不連続部を備えた円筒環状の下部環状外壁51、及び、本体内壁33と同一直径にして同一個所に不連続部を備えた円筒環状の下部環状内壁53を有して下部環状外壁51と下部環状内壁53との間に補助収納溝55を形成している。
【００３４】
また、下部環状内壁53には、本体内壁33が平面部39を備えているのと同様に直線状の下部平面部59を備え、補助収納溝55におけるヒンジ部23の近傍の空間幅を広げて下部収納部57を補助収納溝55の一部に形成している。
【００３５】
そして、補助収納溝55は、本体収納溝35よりも浅く形成するものであって、一部不連続とした環状形状の底板部61を設け、本体部21の本体収納溝35の空間の下方に形成される補助収納溝55の下端を閉じ、本体収納溝35及び本体収納溝35と一体とされた補助収納溝55に収納された景品71が本体収納溝35及び補助収納溝55から脱落することなく本体収納溝35に収納しておくことができるようにしている。
【００３６】
また、この景品用の収納容器20は、補助環43を下部補助環63に重ねたとき、本体収納溝35である収納溝と補助収納溝55である収納溝とによって連続したＣ字形状の空間を形成することができ、この本体収納溝35及び補助収納溝55はヒンジ部23の近辺で溝の幅を広くした正面収納部37や下部収納部57による収納部を有しているため、図４に示すように、景品を収納部に容易に収納することができる。
【００３７】
従って、正面収納部37及び下部収納部57に景品を収納して図５に示すようにペットボトル10の首部13に装着することにより、ペットボトル10の１本１本に容易に景品を取り付けることができる。
【００３８】
そして、平板環状の係合環45と下部係合環65を同一形状として重ねることにより、適宜の剛性を持たせ、係合環45に設けられた突出部46及び下部係合環65に設けられた下部突出部66をキャップ15の下方に位置させるものであるから、突出部46及び下部突出部66の変形により容易にペットボトル10の首部13に取り付けることができると共に確実に首部13に固定しておくことができる。
【００３９】
また、この収納容器20は、本体収納溝35の下端に平板環状の補助環43を、補助収納溝55の上端に補助環43と同一形状の下部補助環63を有しているため、本体外壁31の下端や下部環状外壁51の上端の強度を補強し、景品を収納する正面収納部37及び下部収納部57や本体収納溝35及び補助収納溝55の形状、即ち溝部空間の形状が変形して収納した景品などの損傷を防止することができる。
【００４０】
そして、補助環43及び下部補助環63の外径をペットボトル10の胴部11の外径よりも小さくし、即ち収納容器20の最大径部分の径をペットボトル10の胴部11の外径よりも小さくし、また、本体外壁31及び本体内壁33の高さをキャップ15の高さと同程度又は僅かに低くして当該収納容器20をペットボトル10に取り付けたとき、天面部41の高さがキャップ15の頂面よりも突出しないようにすることにより、ペットボトル10をケースに入れて搬送する場合に収納容器20を取り付けていないペットボトル10と同様にケースに収めて取り扱うことができる。
【００４１】
更にこのペットボトル用景品の収納容器20を首部13に取り付けたペットボトル10は、自動販売機に収納して販売することも可能となるものである。
【００４２】
また、本体収納溝35及び補助収納溝55は、ペットボトル10の首部13を囲むＣ字形状とされているため、景品71を正面収納部37に収納すると共に、帯状のラベル等を収納溝に収納することも可能としているものである。
【００４３】
尚、図面に示した実施の形態では、基部27において下部環状外壁51及び下部環状内壁53による補助収納溝55を形成しているも、補助収納溝55を形成することなく、下部補助環63と下部係合環65及び底板部61を一体の平板状円板とし、この平板状円板の外径は補助環43の外径と同一直径として平板状円板の中心に貫通穴25を形成すると共に係止突起49を嵌合挿入する係止穴部69を設け、本体部21の係合環45及び補助環43と重ねたときに本体収納溝35の開口部を塞いでペットボトル10の首部13に固定可能とすることもある。
【００４４】
尤も、下部環状内壁53及び下部環状外壁51により補助収納溝55を形成した場合は、係合環45及び下部係合環65によりペットボトル10の首部13に収納容器20を固定したとき、底板部61をペットボトル10の下部に近接させて収納容器20を安定させることができる。
【産業上の利用可能性】
【００４５】
上述の様に、本考案に係る景品収納容器20は、ペットボトル10の首部13を挿通させる貫通穴25を備える平板状にして環状形状とされる係合環45を有し、キャップ15の高さと同一又は僅かに低くした本体内壁33と本体外壁31とにより環状の本体収納溝35を形成してキャップ15の周囲空間に景品を取り付けることができ、当該景品収納容器20はペットボトル10の胴部11よりも小さな径とされるため、ペットボトル10の胴部11の上方に形成される空間部部に景品71を取り付けることとなり、景品を付けないペットボトル10と同様にペットボトル10を容易に取り扱うことができる。
【符号の説明】
【００４６】
１０  ペットボトル
１１  胴部                              １２  肩部
１３  首部                              １５  キャップ
２０  収納容器
２１  本体部                            ２３  ヒンジ部
２５  貫通穴                            ２７  基部
３１  本体外壁                          ３３  本体内壁
３５  本体収納溝                        ３７  正面収納部
３９  平面部                            ４１  天面部
４３  補助環                            ４５  係合環
４６  突出部                            ４７  上部平板部
４９  係止突起                          ５１  下部環状外壁
５３  下部環状内壁                      ５５  補助収納溝
５７  下部収納部                        ５９  下部平面部
６１  底板部                            ６３  下部補助環
６５  下部係合環                        ６６  下部突出部
６７  下部平板部                        ６９  係止穴部
７１  景品
【図１】
0003179123.tif 000003
【図２】
0003179123.tif 000004
【図３】
0003179123.tif 000005
【図４】
0003179123.tif 000006
【図５】
0003179123.tif 000007